(57)【特許請求の範囲】
【請求項１】
光線療法システム装置であって、
複数の治療ランプと、
第１の壁と、
前記第１の壁から離間され、反射面と、ユーザーにランプ照射を伝達するために、前記ランプと実質的に整列されている複数の光開口と、を含む第２の壁であって、前記ランプが前記第１の壁と前記第２の壁との間に介在されている、第２の壁と、
前記ランプと前記第１の壁との間に介在された放射吸収層と、
を備え、前記第１及び第２の壁は、前記ユーザーが前記装置を介して見るために配置される、整列された眼スロットを含む、光線療法システム装置。
【請求項２】
光線療法システム装置であって、
複数の治療ランプと、
第１の壁と、
前記第１の壁から離間され、反射面と、ユーザーにランプ照射を伝達するために、前記ランプと実質的に整列されている複数の光開口と、を含む第２の壁であって、前記ランプが前記第１の壁と前記第２の壁との間に介在されている、第２の壁と、
前記ランプと前記第１の壁との間に介在された放射吸収層と、
を備える、光線療法システム装置。
【請求項３】
前記放射吸収層が、前記第１の壁の外周縁からスペースを空けた周縁を提供するような寸法を有する、請求項１または２に記載の装置。
【請求項４】
前記放射吸収層が、前記第１の壁を通して外への全ての光漏れをなくすように働くシート含む、請求項１または２に記載の装置。
【請求項５】
前記第２の壁と前記ユーザーとの間に位置付けられる眼鏡フレームを更に備える、請求項１〜４のいずれか１項に記載の装置。
【請求項６】
前記眼鏡フレームが、前記ランプ照射から前記ユーザーの眼を遮蔽するためのレンズを含む、請求項５に記載の装置。
【発明の詳細な説明】
【開示の内容】
【０００１】
本出願は、米国特許仮出願第６１／９１４、６２４号（２０１３年１２月１１日出願）、並びに、米国特許仮出願第６１／５３２、１４０号（２０１１年９月８日出願）（その開示は参照により本明細書に組み込まれる）からの優先権を主張する現米国特許第８、７７１、３２８号、すなわち米国特許出願第１３／６０４、０１２号（２０１２年９月５日出願）の優先権を主張する米国特許出願第１４／３２４、４５３号（２０１４年７月７日出願）、に対する優先権を主張する一部継続出願である。
【技術分野】
【０００２】
本実施形態は、抗加齢の増進又は座瘡防止などの皮膚の健康を改善する光に基づく皮膚治療処置を供給するための装置と方法に関し、発光ダイオード（ＬＥＤ）光治療を使用するものであるが、別のタイプの光放射源が使用されてもよい。
【背景技術】
【０００３】
ＬＥＤ（青色又は赤色）によって放射されるあるスペクトルの光は、座瘡などの疾患に対する皮膚処置のための療法として知られ、又は皮膚の加齢防止に効果がある。しかしながら、調整可能であって又は適応力があって、異なる寸法と形状に適合し、ユーザーには不快感が無く使用が容易な、ウェアラブルマスク、ベール又はフードなどの便利な家庭用光治療供給装置をユーザー／患者に提供する必要がある。市場で現在入手可能な家庭用の、消費者が使用可能な製品は、１つの寸法に固定され、及び／又は通常は手に持たなければならず、それは、最良の又は所望の光分散を提供するには、概して満足が得られてはいない。代替えとしては、顧客が医師を訪ねて治療を受けることである。
【０００４】
既知の光治療装置、具体的にはマスクには、ＬＥＤ及びＬＥＤに給電する関連回路が、ユーザーによる接触に晒されることに関する問題がある。より具体的には、患者への光伝達を最大にするための努力の中では、ＬＥＤが、患者に物理的に係合（例えば接触）されることを、又は汚れと油脂の堆積の結果としてＬＥＤを消耗させる経過となる処置面への接触さえも、許容する方式でＬＥＤが配置されてきている。更に、かかるどのような係合も、ＬＥＤの鋭い又は高温の端部及び関連する回路に晒される患者にとっては危険であり得る。詳細回路の暴露は、治療の完了までに数分の時間を要する場合には心配で不快な経験となり、マスクが比較的顔の近くに配置されることで、患者にある時間にわたって、心地の悪い、閉所恐怖症の感覚を呼び起こすことも多い。
【発明の概要】
【発明が解決しようとする課題】
【０００５】
ハンドフリーの治療体験は、治療中に装置を長時間特定の位置に保持しなければならない場合より常にすぐれている。マスクやヘルメットのような装置を、種々のストラップ、ハンド、包装体、及び紐に装着するための多数のアセンブリが考案されてきたが、それらは、支持体と装着アセンブリを患者の毛髪や頭皮に対して近くに押し付ける結果となり得る。一方では本主題の装置が患者の上に確実に固定されるように、またそればかりでなく、取り付け構造が、治療それ自体の間での患者の快適さに最小限の因果関係しかないように、このような取り付けアセンブリの大きさを最小化する要求が常に存在する。比較的軽量であること、及び治療のための使用中に容易で最小限の保持ですむことは、消費者の支持にとって重要である。
【０００６】
ユーザーは多様な形状と寸法を伴ってやって来るので、治療が所望の治療領域に対して効果的に適用されるように、及び／又は選択的に強化されるように、装置は寸法と領域に対して調整可能とされるべきである。
【０００７】
最後に、具体的には治療装置で処置する顔面領域では、患者の眼への光損傷又は炎症を回避するために、眼の保護が必要である、既知の装置は、眼領域上に置かれて眼システム自体への治療光の伝達を妨げる分離可能なパッチを典型的に使用していた。具体的には抗老化処置に関連して、眼の近傍領域に治療光を伝達させ、なお患者を保護するために容易に適用可能なより良い方法への要求が存在する。
【０００８】
光治療の利益を使用する代替えの手段を、暴露中の治療効果を最大化して、一方では使用の容易さと便利さを維持しながら提供することが所望される。このため、本開示の範囲内で、ユーザーの条件と必要に答えて種々のエネルギー変更の応用を組み込んだ多様な軽量で、適応力のある、調整可能な実施形態が開示される。
【課題を解決するための手段】
【０００９】
本実施形態は、光線療法システム及び装置を備え、その光線療法システム及び装置が、ランプがそこに取り付けられた第１の壁と、より患者に近く、第１の壁から離間された第２の壁と、を備えるアセンブリ内に配置された、ＬＥＤのような放射ランプの治療ランププラットフォームを備え、ランプは第１の壁に関して凹部に置かれる。第２の壁は、患者に対向する反射面と、ランプからユーザーへのランプ放射の伝達のための、第１の壁上のＬＥＤと実質的に整列した複数の光開口と、を備える。ランプと関連する回路は、反射面が患者に向かって比較的滑らかでシームレスとなるように、第１と第２の壁の間に配置される。ランプの数は、回路の数と同じように最小化され、他のアセンブリ材料は比較的軽量のアセンブリとなるように意図的に選択され、治療セッション中のユーザーの快適性を高める結果をもたらす。壁はユーザーに関して適応力のある調整可能性のために、柔軟な硬さを有する。より具体的には、壁は、ユーザーの顔面に関して凹面構成を有し、その構成は、静止位置に関して調整可能であり、使用中のユーザーへの緊密な適合と確実な係合のために、ユーザーの頭部寸法に関して拡大可能となっている。装置は、ランプ放射からユーザーの眼を遮蔽するためのレンズを含む眼鏡フレーム又はゴーグルを備えるフレームと共に、ユーザーに装着される。実施形態の調整可能性は、支持フレームに関して枢動可能な壁によって更に高められ、そこではフレームが、ユーザーの頭部寸法に関する選択的調整可能性のための伸縮自在のテンプルアームを含んでもよい。したがって、装置は患者の上にウェアラブルハンドフリーマスク又は類似物として支持される。電源は、エネルギーをランプに伝達し、遠隔バッテリーパックを備え、そしてユーザー用に装置の使用回数をカウントするための、及び所定の使用回数後の装置交換の必要性を示すための、制御プロセッサをも含んでもよい。
【００１０】
本実施形態は、寸法に基づいても状態に基づいても、ユーザーの受容面に適合可能な、光に基づく治療を提供するための調整可能／適応力のあるプラットフォームを備え、光の種類には制限がなく、また治療の最終目的にも、すなわち美容、健康、及び／又は創傷治癒の制限もなく、光治療が適用可能である。これらの光源は、放射エネルギー供給の形態では異なってもよい。パルス光（ＩＰＬ）、集束光（レーザ）、及び光エネルギーを扱う別の方法が、本実施形態に包含される。光放射の別の方法として、連続、パルス、集束、発散、多波長、単波長、可視及び／又は非可視光波長があり得る。
【００１１】
本実施形態は、治療が意図される顔面の寸法又は領域の変化を受け入れるために調整されることが可能な、ＬＥＤバブル又はＬＥＤストリップから放射されるＬＥＤ光を伴う、形作られた／適合されたマスク、ゴーグル、眼マスク、おおい又はフード、及び顔面マスク（集合的に「マスク」と呼ぶ）などの形態を説明する。光強度、周波数又は方向を変化させる制御システムが含まれる。
【００１２】
プラットフォームは、頭部へ複数の手段、すなわち、眼鏡フレーム、ストラップ、引きひも、ハーネス、ベルクロ、ダイアル回転式又はスナップボタンで固定されてもよい。マスクが固定されると、あごから額を覆うように上方へ向けて調整されてもよい。マスクはまた、横から横を覆うように外側へ向けて調整されてもよい。更に、いったんプラットフォームが曲がって／スライドして顔面領域をカバーしてしまうと、プラットフォームの皮膚からの距離は、ユーザーの皮膚面に関して所望の光強度を実現するために調整されてもよい。したがって、光治療は３つまでの物理的方向へ最大化され得る。
【００１３】
本主題の調整可能性は、調整可能エネルギー出力、調整可能波長、優先ゾーン、タイマーなどの形態の高められた適応性／調整可能性のための「スマート」処理及びセンサーシステムを通して実装されてもよい。センサーシステムのセンサーは、本主題の実施形態が、色、しわ、老化斑点、座瘡、損傷密度などのためのセンサーによる患者の顔面と体の皮膚の評価、並びに、優先スポットのエネルギーを多少とも使用してのスマート処置の計画、の能力を有すること許容するであろう。本主題の実施形態は、皮膚のタイプ、年齢、問題の総体的深刻さの観点からスマートとなり得、それに応じて処置をカスタマイズする能力を有する。
【００１４】
更に別の実施形態では、光線療法システム装置は、ユーザーが装置を介して見るために配置された整列された眼スロットを含む。ランプと外壁との間に介在された放射吸収層も含まれる。
【００１５】
更に別の実施形態では、ランプは、成形可能な材料の柔軟なシート内に埋め込まれ、材料シート内のストリップとして一体成形される。
【００１６】
更に、制御システムは、装置の使用を計測又はカウントしてもよく、及び過去の使用を伝えてもよく、及び交換時期を示してもよい。
【００１７】
本開示は、したがって、改良された操作性及び光散乱を提供する十分に適応力のある、調整可能なＬＥＤ装置を記述する。
【図面の簡単な説明】
【００１８】
【図１】ウェアラブルマスクを備える治療用ランププラットフォームの１つの実施形態の斜視図である。
【図２】図１の装置の別の斜視図である。
【図３】図１の分解斜視図である。
【図４】図２の分解斜視図である。
【図５】コントローラＢの分解斜視図である。
【図６】図１の実施形態の二壁構造を示す断面図であり、ここでは内壁が、治療光をユーザーに伝達するＬＥＤと整列した光開口を含む。
【図７】垂直中心線に沿った第２の断面図である。
【図８】内壁開口に関して凹所に置かれたＬＥＤランプの配置を示す部分断面斜視図である。
【図９】代替えの実施形態の斜視図であり、ここでは電源と制御回路がマスクアセンブリと一体で形成されている。
【図１０】図９の装置の分解図である。
【図１１】代替えの実施形態の分解図であり、マスク壁がフランジによって離間されている。
【図１２】図１の装置を含むパッケージアセンブリの実施形態である。
【図１３】図１１のパーケージのお試し機能を示し、ここではユーザーが装置のサンプル作動を見ることができる。
【図１４】装置作動制御のフローチャートである。
【図１５】シースルースロット及び第３の光吸収層を含む代替えの実施形態の分解図である。
【図１６Ａ】図１５の組み立て済装置の立面図である。
【図１６Ｂ】図１５の組み立て済装置の立面図である。
【図１６Ｃ】図１５の組み立て済装置の立面図である。
【図１６Ｄ】図１５の組み立て済装置の立面図である。
【図１７】眼保護ゴーグルを含む代替えの実施形態の分解図である。
【図１８】眼領域のＬＥＤ治療に適用する寸法のマスクを有する代替えの実施形態の分解図である。
【発明を実施するための形態】
【００１９】
本主題の実施形態は、方法と装置を含む光線療法システムに関し、好ましくは装置内の治療ランプに給電するための遠隔バッテリーパックを伴うウェアラブルハンドフリー装置を備える光線療法システムに関する。本主題の装置は多数の利点を示し、その利点としては、使用中に装置内のプラットフォームとランプがユーザーに関して適切に位置決め可能であり、ヒトの接触がない光プラットフォームがある。すなわち、装置の構造構成部分は、ユーザー上にランププラットフォームを支持するばかりでなく、ユーザーの処置領域に関するランプの適切な位置決めのための案内として機能する。装置の構造アセンブリは、患者の処置面に最も近い、またそれに対向する内部反射面に関してランプが凹所に置かれているので、ユーザーが鋭利な又は高温の面に係合可能となることを妨げる。電力をランプに伝達する回路構成部分も壁構造中に収容される。壁開口を貫通して光る治療光はユーザーへと伝達され、ランプと回路は離間された壁構造内に効果的に収容される。所望の治療処置のために適切に離間された滑らかなシームレス面が結果としてユーザーに与えられ、更にその面が改良された排気を提供するので、その結果、ユーザーの不快感を最小化する美しい、魅力のある装置面がユーザーに与えられる。その他の利点は、ユーザーの受け入れに伴って、例えばユーザーの頭部などの処置面の寸法に適合する形をなす適合性マスク形態の装置の調性可能性に関する。スマート構成部分は、装置の使用を計測するばかりでなく、ランプの劣化を推測することができるので、その結果、適切な交換時期をユーザーに知らせることができる。アセンブリ全体は、ユーザーの使用及び快適性のために、比較的軽量に、最少化した構成部分に、意図的に構成されている。
【００２０】
より具体的には、図１〜図４を参照すると、主題の実施形態は、好ましくは、ランププラットフォームＡ及び遠隔バッテリーパックＢを備える。プラットフォームＡは、赤色及び青色ＬＥＤ  １２などの複数の治療ランプ、並びに、バッテリーパックＢからケーブル８０とコネクタ８３を経由して電力をランプに伝達する回路１４、を収容する壁構造体１０からなる。別の放射エネルギー形態としては、蛍光、レーザ、又は赤外があり得る。壁構造体１０は、フレーム２０に関するわずかな枢動によって壁構造体の位置調整を許容するスナップアウト枢動連結２２によって連結される支持フレーム２０上に装着される。フレーム２０は、保護レンズ２４及びノーズブリッジ２６をも含む。テンプルアーム２８は、プラットフォームＡが、ノーズブリッジ２６によって鼻上に、及びテンプルアーム２８によって耳上に置かれることによって、ハンドフリー支持方法でユーザー上に装着され得るように、フレーム２０に関して固定されても、又は伸縮自在にヒンジ止めされてもよい。
【００２１】
図３、図４、図６、図７、及び図８を参照すると、壁構造体１０は、外壁５０及び内壁５２からなることがわかる。外壁は、ユーザーの処置面から最も遠く配置され、一方内壁５２は処置面により近く配置される。壁は、水平及び垂直の両方向に凹面構成を有し、柔軟な硬さを有するプラスチック材料で構成されるので、その結果、構造体１０は使用中にわずかに曲がってたわみ得る。凹面は、放射を捕捉し、反射させて処置領域へ返すための多次元放物線曲率を含む。凹面はユーザーの頭部よりもわずかに小さく、その結果、マスクは頭部に適用されると外に曲がらなければならず、ユーザー上に近接してはいるが快適な締り具合を提供し、それによって使用中にアセンブリＡを所望の位置に維持するであろうことが意図される。凹面は、治療ランプ又はＬＥＤ  １２をもユーザーに関して所望の位置に位置決めする。壁５０と５２との間の空間５４は、安全性を高めるためと利便性の目的のために、ランプ及び回路が壁の間に挟まれるように、ランプ１２及び回路１４を受容する。空間が装置の中ほどから端部５８、６０に向けて減少することがわかる、しかしながら、アセンブリ１０の縁端部の全周は、両壁が一体となるとシールされる。このような一体合わせシールは、典型的には超音波溶着構成によって成し遂げられる。代替えとして、局所シール点（図示せず）が使用されて、離間された中間部の複数のシールによって壁を共に組み立ててもよい。したがって、内側と外側マスクは異なる凹面の曲率を有し、しかしユーザーに関する限り一体構造を呈する。外壁５０は、主としてランプ１２及び回路１４の支持として機能する。図４を参照すると、光線療法処置に最も敏感な領域を照射するために、ランプが所定の方法で壁５０上に配置されていることがわかる。最少数の、しかし効果的な治療の提供に十分な数のランプ１２が意図される。代替えとして、ランプが内壁５２に固定されてもよい。どちらの壁がランプを支持するかにかかわらず、ランプは開口７０と共に所望の処置領域に適切に一直線に整列される必要がある。
【００２２】
複数のＬＥＤをランダムに設置するのではなく、本主題のＬＥＤは、具体的に最少数とされ、処置領域と壁の双曲線反射とに関して配置され、所望の治療を成し遂げる。より具体的には、個々のランプ１２、及び関連する内壁開口７０は、治療による利益を得る最も共通の領域の処置のために配置されることがわかる。本実施形態は、皮膚の座瘡の処置に便利な配置パターンを示す。別の配置パターンが確かに意図されるが、それらは、本開示の実施形態の範囲に含まれる。ここには３つのＬＥＤストリップが見られ、そのＬＥＤストリップは、典型的には中間の赤色ストリップ、その上部と底部の２つの青色ストリップを備えることになり、この頻度が座瘡の処置には最も有用である。本主題の発明は、青色のみ、赤色のみ、又は任意の別の混合組合せのＬＥＤ、あるいは別の放射エネルギー形態パターンを含んでもよい。図示したパターンは、したがって、あご輪郭、下あご、頬、及び額上に強化された治療効果を有するが、まぶたにはそうではないことになる。光源としては、例としてＬＥＤ、蛍光、レーザ、又は赤外があり得る。これらの光源は、放射エネルギー供給の形態では異なってもよい。パルス光（ＩＰＬ）、集束光（レーザ）、及び光エネルギーを扱う別の方法が、本実施形態に包含される。光放射の別の方法として、連続、パルス、集束、発散、多波長、単波長、可視及び／又は非可視光波長があり得る。
【００２３】
内壁５２は、処置領域に対向する平滑なシームレス反射面からなり、複数の開口７０を含み、その開口７０は、ランプが治療光を開口７０を貫通して放射できるように、ランプに関して一致するように整列されている。したがって、ＬＥＤ  １２は、内壁５２に関して凹部に置かれ、処置面との接触を不可能とし、そしていかなる場合にもランプ自体がユーザーと接触することを極めて困難としている。このようなアセンブリは、治療光の所定の円錐を処置領域に与えるやり方で、放射治療の制御された伝達をもたらす。開口は、処置領域にわたって光分布を均一とするために、所望の処置領域と壁の双曲線構成に関して配置される。このような制御された光円錐、プラットフォーム上のランプ自体の所定の配置、内壁５２上の内側反射面、及び鼻と耳の接触領域に関するプラットフォーム位置を経由しての処置領域に関するアセンブリの制御された位置決め、の組合せが、高度に予測可能な光の分布パターン（光源ごとの所定の光円錐）を与えるアセンブリを提供し、それによって効果的な治療のために含まれることが必要なランプ１２の数を最少化する。
【００２４】
図２、図３及び図４を参照すると、１つの実施形態は、プラットフォーム１０のための関連支持構造としての眼鏡フレームを基本的に備える支持フレームを備える。交換可能レンズ２４が、レンズ又はそれらの関連形状によって提供される保護レベルを調整するために使用されてもよい。そこには図示されていないが、伸縮自在テンプルアーム２８が、ユーザーの頭部の寸法に関するより良い寸法設定のために伸縮してもよい。成形可能なイヤーラッチが、テンプルアームの一部として含まれてもよい。代替えとして、アームは頭部ストラップを含んでもよい。枢動可能ジョイント２２が、壁構造のフレームに関する枢動を許容するので、その結果、ユーザーが層をより近くに又はより遠くに離して動かすことによって、治療領域に関する光強度を調整することができる。上述したように、プラットフォーム１０は、凹面放物線付勢を伴って柔軟であるが、なお柔軟な硬さを有する。フレーム１０がユーザー上に受容されると、フレームはプラットフォーム放物線付勢を伸ばすように配置され、ユーザーの頭部寸法への適合を形成する。ユーザーの眼鏡フレーム基準接触点としては、ユーザーの鼻根点領域、鼻筋、及び耳であってもよい。代替えとして、支持フレームは鼻根点領域に依存するゴーグル及び頭部ストラップ構成を備えてもよい。
【００２５】
バッテリーパックＢ（図５）は、供給バッテリー８１と、ワイヤ８０を経由してランプと電気伝達しているプロセス制御装置８２と、を保持する。コネクタ８３とＬＥＤストリップ１２との間の配線は、図が乱雑になるのを避けるために図示しないが、その配線は壁５０と壁５２との間に含まれる。バッテリーパックは、オンオフスイッチ８４と、ユーザインターフェース８６と、を含むであろう。プロセス制御装置８２は、ユーザーに装置の使用を表示する種々の制御システムを含んでもよい。このようなシステムはカウンタのはずである。ユーザインターフェースは、制御装置の制御システムからユーザーへの、種々の有用な情報のためのディスプレイを備えてもよく、その情報としては、使用回数のカウント値、そして装置が既に十分な時間使われていて、ＬＥＤ自体が劣化してしまって、治療のためにはその交換が推奨されることの伝達、などがある。
【００２６】
図１１及び図１２の「お試しパッケージ（Try-me packaging）」は、包装されたままで、潜在顧客にデモンストレーションとしての使用機会を提供する。本主題の実施形態は、ランプアセンブリの操作のためのスイッチＳ１（図示せず）が、オンモード、オフモード及びお試しモードを含む多位置有効機能を有する装置を備えるパッケージアセンブリ２１０を更に含む。お試しモードは、ユーザーにランプ動作を表示するためにランプアセンブリがパッケージに含まれる時にアクセス可能である。パッケージは、装置Ａを覆う透明又は半透明のカバー２１２を含む。お試しタイムアウト回路が、例えば２秒などのランプ動作のお試し表示時間を制限するために含まれる。カウンタで計測されたランプオンタイムは、お試しモードから分離可能なので、その結果、お試し使用は実際の治療のための装置の累積使用時間には影響しないことになる。お試し使用時間は、累積使用時間に比べて無視できるであろうと推測される。
【００２７】
本主題の装置は、遠隔バッテリーパックを伴うウェアラブルフリーハンドフリー装置において、ユーザーへの複数の利益を含む。装置は、ユーザーの基準接触点を利用することによって、ヒトの接触を最少にして比較的自動の方法で、適切に位置決め可能であり、使用中は特にハンドフリーである。鋭利な面や高温の面がユーザーに係合することはない。平滑なシームレス面がユーザーに対向し、処置領域から適切に離れ、処置中には排気が増進され、不快感は最小となる。
【００２８】
特に図１４を参照すると、装置制御の操作実施形態を説明するフローチャートが示されている。図１０による操作可能として思い描ける装置は、２つのスイッチＳ１、Ｓ２を含み、少なくともそのうちの１つは、エネルギーをエネルギー源から治療ランプまで伝達するために閉じられる必要がある。Ｓ２は、装置が販売パッケージ内にあるときは開である安全スイッチであり、したがってＳ２が開であるときは「お試し」モードのみが可能である。パッケージから取り出された後に、Ｓ２が閉じられてもよく、そして装置は通常モードで操作されてもよい。したがって、スタート（１００）の後で、装置がなおパッケージ内にある場合などの、Ｓ２が開（１０２）の状態では、システムは、ＧＵＩインターフェース（ＬＣＤなど）がオフ（１０４）であるスタンバイモードのままであろう。Ｓ２が閉（１０６）のままで、Ｓ１が押されると（１０８）（例えば図１２）、次に装置が「お試し」モード（１１０）に入ることができ、ＬＥＤが２秒間点灯することになり、次に消灯する（１１２）。装置がパッケージ内にあるうちの、このようなユーザーへの「お試し」モード動作のデモンストレーションは、ユーザーに向けて実際の動作を知らせ、また購買への決定を促すことができ、又は装置がどのように作動するかについての、より良い理解を有する。装置がパッケージから取り出され、Ｓ２が閉じられると、装置は通常モード（１１４）に入り、ＧＵＩが、カウンタ値にしたがって残留サイクル数を表示するディスプレイを含むことになる。カウンタ値（１３４）は、どのようなお試しサンプル動作による影響も受けないことに留意されたい。
【００２９】
１つの実施形態では、ユニットは５５から１へとカウントダウンすることになり、それはＬＥＤが治療用放射ランプとして使用される場合は、５５回の使用がＬＥＤのピーク作動モードから、必要なだけのＬＥＤ効率が無くなるのに十分な回数と考えられるためである。したがって、ユーザーが装置を取上げると、装置の容認可能な、また推奨される操作が、５５回以上の使用から下がって０まで、あと何サイクル残っているかを直ちに知るであろう（１１８）。ディスプレイが０より大きいカウンタ値を示し、ユーザーが治療セッションを行いたければ、ユーザーはＳ１を押して（１２０）ユニットをオンにし、するとＬＥＤが約１．５秒で放射動作に立ち上がり（１２２）、次に連続的に放射することになり（１２４）、この放射は、次にユーザーがユニットをオフとすることを所望して再びＳ１を押して（１２６）ＬＥＤを立ち下げるまで（１２８）、あるいは、約１０分間の残りの放射などの治療セッションがタイムアウトするまで（１３０）、続くことになる。治療セッションの適切な作動時間が完了した後に、ＬＥＤが立ち下がり（１３２）、ユーザー向けＧＵＩディスプレイが、カウンタ値から１を引くであろう（１３４）。
【００３０】
図９及び図１０を参照すると、代替えの実施形態が示され、そこでは制御装置Ｂをなくし、エネルギー源とプロセス制御とが装置９０内に一体で組み込まれている。この場合、プラットフォーム２０及び壁５０、５２は、図１の装置の場合と実質的に同等のままである。しかしながら、バッテリー９２などのエネルギー源は、眼鏡のテンプルアームの一部として配置され、ワイヤがエネルギーをバッテリー９２からフレーム２０のヒンジ点を通しＬＥＤへ、そしてＬＥＤ自体への最終的な接続のために空間５４内へと提供する。ＬＣＤディスプレイ９６を含む制御装置９４も、ユーザーに関して反射壁５２の後に収容され、その壁５２は、スクリーン９６のための比較的小さい切り欠き（図示せず）を含んでもよい。
【００３１】
図９及び図１０の実施形態は、したがって図１の実施形態よりなおいっそうコンパクトであり、また操作中に制御装置Ｂをなんとかして使いこなす必要がなくなっているので、図１のものよりハンドフリーである。
【００３２】
図１１は更に別の代替えの実施形態を示し、外壁５０’及び内壁５２’は、異なる曲率を伴う構成による離間はしてはいない。むしろ壁５０’、５２’は同一の曲率を有し、しかし内壁５２が壁の周囲から垂れ下がるオフステップ３００を有し、そのオフステップが壁５２’の面から立ち上がって外壁５０’に向かうフランジを形成し、２つの間のスペーサを効果的に形成する。１つの実施形態では、フランジ３００は約８ミリメートル幅で、壁５２’の全周囲に連続し、また内壁と外壁との間の所望の空間を生み出すために約０．５ミリメートルの厚さである。この実施形態では、フランジ３００は内壁５２’の一部であり、前述の実施形態でのように、両方の壁はＰＥＴ又はＰＶＣの真空成形プラスチックである。図１１のアセンブリは、超音波溶着されても、糊付けされても、又は両面接着剤で接着されてもよい。代替えとして、複数の中間シール点（図示せず）を、連続シールの代わりに使用してもよい。この実施形態では、開口７０’とＬＥＤ  １２’の数を前述の実施形態の１８から１５に減らすように、代替えの数のＬＥＤ  １２’が、ユーザーに関してアセンブリの額部分の反対側にあることがわかる。いずれの数でも所望の治療の実行が可能であり、その一方では図１１のアセンブリの他の構成部品は、実質的に前述の図に示すものと同等である。
【００３３】
図１などに示す装置からの代替えの実施形態としては、外壁５０と内壁５２との間に作動するＬＥＤを組み込む透明で柔軟なポリマーシート（図示せず）の配置がある。このような構成は、ＬＥＤライトを接続するワイヤ経路として働く特定の構成のカーボンナノチューブの透明な薄層でコーティングされたポリマーフィルムを含むことになる。ポリマーがユーザーの接触からＬＥＤを保護するはずである。このような保護ポリマーは、ルミシス（Lumisys）商標のもとに入手可能である。
【００３４】
更に別の代替えの実施形態は、そのような透明で柔軟なポリマーシートを含み、その透明で柔軟なポリマーシート上には反射フィルムが付着され、その反射フィルムは、放射光が、反射領域を貫通し、図４にてＬＥＤ  １２の内壁５２から開口７０まで通した関係に示される方法で、伝達することを許容するための、ＬＥＤと反対側の切り欠きを含む。この配置は、柔軟なポリマーシートの反対面上に柔軟な外壁５０を含み、反射コーティングアセンブリであるフィルムに柔軟な硬さを提供してもよい。
【００３５】
更に別の代替えの実施形態は、温度又は放射エネルギーセンサーなどの複数のセンサー（図示せず）を含み、それらのセンサーは、内壁５２に関して配置され、治療中にユーザーの放射エネルギーの暴露をモニタする。その暴露がどんな理由であっても不適切と考えられれば、その感知は制御装置Ｂに認識され、治療が中止されてもよい。
【００３６】
図１５は、シースルースロット１５２を含む外側シールド１５０、内側反射シールド１５４、及び眼鏡アセンブリ１５６、及びＬＥＤストリップ１５８を含む更に別の代替えの実施形態を示す。これらの構成要素は、シースルースロット１５２及び関連した整列するスロットを除いて、上述の実施形態と実質的に同等である。代替えとして、この実施形態は、外側シールド１５０と内側シールド１５４の中間に第３の層１６０を含む。層１６０は、好ましくは、ランプ放射の吸収又は遮蔽として働き、マスクの前面からの、すなわち外側シールド１５０を通して外への全ての光漏れをなくす薄い不透明の黒色プラスチックシート含む。層１６０は、好ましくは外側層１５０の内側に貼り付けられ、次にＬＥＤストリップが層１６０に貼り付けられる。ストリップ１５８は、上述した利便性のために、内側シールド１５４の内面１６２に関してなお凹部に置かれている。図１５は、制御装置アセンブリケーブル１６４及び眼鏡アセンブリ装着ポスト１６６をも示す。眼鏡アセンブリレンズ１６８は、色合いを付けられているが、ユーザーが内側シールドスロット１７０、第３の層スロット１７２及び外側シールドシースルースロット１５２を通して見ることを妨げない。整列されたスロット１５２、１７０、１７２は、マスクの不可欠な部分である連続した視野開口を備える。層１６０は、外側シールド１５０の外周縁からスペースを空けた周縁を提供するような寸法とされる。ユニットが作動していてＬＥＤが点灯されていると、それがユーザーの観察者にむけて周囲照明を提供し、その照明は、ユニットが作動中であることを知らせるのみならず、美的な快い外観の提供をも行う。
【００３７】
１つの実施形態では、ＬＥＤストリップ１５８が、好ましくは、層１６０内の対応するポケット（図示せず）内に受容されることで中間の第３の層１６０に取り付けられる。代替えとして、それらは層１６０に接着剤で付着されてもよい。ストリップ１５８間のワイヤは大変細く、中間層と内側シールド１５４との間に単に置かれ、すなわち特別なワイヤ経路設定は無い。メインケーブルとストレインリリーフのための、第１のＬＥＤストリップに導く収容部がある。中間層アセンブリの全体は、内側シールド１５４の面取り済凹部へと嵌入し、位置決め点が最上部／底及び左／右にある。これは両面テープで固定される。中間層／ＬＥＤストリップ／内側シールドのアセンブリが外側シールド１５０によって（これも両面テープによって）完成される。層を永久に一緒に固定するいくつかの超音波溶着１８０（図１６）が存在する。組み立て斜視図１７４、１７６が示されている。図１６（Ａ）、（Ｂ）、（Ｃ）、及び（Ｄ）は、図１５の実施形態が組み立てられた時の立面図を示す。
【００３８】
図１７は、シースルースロット１５２、１７０、１７２がなくなり、そして眼鏡アセンブリ１９０はもはや色付けされたレンズを有さず、放射光遮蔽ゴーグル１９２を有するという点で、図１５の実施形態とは異なる更に別の代替えの実施形態である。図１５からの同等の構成要素は、同じ番号とプライム符号が付けられている。この実施形態では、眼は、ランプによって放射されるいかなる光からも保護される。このような実施形態は、抗老化治療のための赤色及び赤外光の光線療法処置に特に有効である。赤色光は皮膚の色調を均一にし、粗さを減少させる。赤外光は細線としわの外観を減少させる。しかしながら、どのような放射エネルギーが用いられたとしても、ゴーグル１９２が放射エネルギーから眼を完全に遮蔽する。
【００３９】
図１８は更に別の実施形態であり、そこではマスクアセンブリ２２０が、患者の眼の領域のみを扱うような寸法であるので、その結果、組み立てられたマスクは、図１７に示されるものよりもはるかに小さい。ＬＥＤストリップ１５８’’は、図１６のものとは異なった配列で配置されるが、保護ゴーグル１９２’’を含む他の要素は同等である。
【００４０】
しかし、ＬＥＤランプが内側シールド１５４の内面１６２に関する凹部に置かれることは、ユーザーに関する快適性と安全の目的のための、これらの実施形態に共通の特徴である。
【００４１】
上述した開示及び他の特徴、並びに機能の変形、又はその代替物は、他の多くの異なるシステム又は応用と組み合わされてもよいことが理解される。本明細書では目下予見できない又は不測の代替物、修正、変形又は改善はその後に当業者によってなされることができ、これらはまた添付のクレームにより網羅される意図がある。
【００４２】
〔実施の態様〕
（１）  光線療法システム装置であって、
複数の治療ランプと、
第１の壁と、
前記第１の壁から離間され、反射面と、ユーザーにランプ照射を伝達するために、前記ランプと実質的に整列されている複数の光開口と、を含む第２の壁と、を備え、前記ランプが前記第１の壁と第２の壁との間に介在されており、
前記第１及び第２の壁は、ユーザーが前記装置を介して見るために配置される、整列された眼スロットを含む、光線療法システム装置。
（２）  前記ランプと前記第１の壁との間に介在された放射吸収層を更に含む、実施態様１に記載の装置。
（３）  前記放射吸収層が、前記第１の壁の終端外周縁周囲に可視放射リングを収容するように前記第１の壁の終端外周縁から離間された外周縁を有する、実施態様２に記載の装置。
（４）  光線療法システム装置であって、
複数の治療ランプと、
第１の壁と、
前記第１の壁から離間され、反射面と、ユーザーにランプ照射を伝達するために、前記ランプと実質的に整列されている複数の光開口と、を含む第２の壁であって、前記ランプが前記第１の壁と第２の壁との間に介在されている、第２の壁と、
前記ランプと前記第１の壁との間に介在された放射遮蔽層と、を備える、光線療法システム装置。
（５）  前記放射吸収層が、前記第１の壁の終端外周縁周囲に可視放射リングを収容するように前記第１の壁の終端外周縁から離間された外周縁を有する、実施態様４に記載の装置。
【図１】
0006608362.tif 000002
【図２】
0006608362.tif 000003
【図３】
0006608362.tif 000004
【図４】
0006608362.tif 000005
【図５】
0006608362.tif 000006
【図６】
0006608362.tif 000007
【図７】
0006608362.tif 000008
【図８】
0006608362.tif 000009
【図９】
0006608362.tif 000010
【図１０】
0006608362.tif 000011
【図１１】
0006608362.tif 000012
【図１２】
0006608362.tif 000013
【図１３】
0006608362.tif 000014
【図１４】
0006608362.tif 000015
【図１５】
0006608362.tif 000016
【図１６Ａ】
0006608362.tif 000017
【図１６Ｂ】
0006608362.tif 000018
【図１６Ｃ】
0006608362.tif 000019
【図１６Ｄ】
0006608362.tif 000020
【図１７】
0006608362.tif 000021
【図１８】
0006608362.tif 000022